(57)【要約】      （修正有）【課題】フレキシブル製品の特徴的絵柄を、平らに敷かれた状態で保持ケースに収納して固定できる包装展示箱を提供する。【解決手段】展示板１０に接合されるフレキシブル製品用包装展示箱であって、内部が収納空間である凸状筐体２１を有する透明な展示ケース２０と、保持面および複数の側板を有すると共に、前記収納空間内に位置する保持ケースと、を備え、前記収納空間は、前記展示板の方向に対し、外部に通じた第１の開口部を有し、前記筐体には、前記展示板に圧接するための縁部２５が設けられている。【選択図】図３
0003181980.tif 000002
【実用新案登録請求の範囲】
【請求項１】
展示板に接合されるフレキシブル製品用包装展示箱であって、
内部が収納空間である凸状筐体を有する透明な展示ケースと、前記収納空間の形状と一致する保持面を有すると共に、前記収納空間内に位置する保持ケースと、を備え、
前記収納空間は、前記展示板の方向に対し、外部に通じた第１の開口部を有し、
前記筐体には、前記展示板と接合するための縁部が設けられており、
前記保持面の外周には、前記展示板の方向へ折り曲げられた複数の側板が設けられていることを、
特徴とするフレキシブル製品用包装展示箱。
【請求項２】
前記収納空間内には、該収納空間の形状と一致する固定ケースが設けられており、
前記固定ケースは、前記筐体の方向に向かって延伸した周壁を有し、
前記周壁は、前記保持ケースと嵌め合うための第２の開口部を有することを、
特徴とする請求項１に記載のフレキシブル製品用包装展示箱。
【請求項３】
前記固定ケースが前記保持ケースよりも大きく、前記保持ケースが前記固定ケースに覆われることを、特徴とする請求項２に記載のフレキシブル製品用包装展示箱。
【請求項４】
前記固定ケースの周壁にスリットが設けられていることを特徴とする請求項３に記載のフレキシブル製品用包装展示箱。
【請求項５】
前記筐体は、方形であり、
前記固定ケースにおける２つの隣接する周壁がなす角は、円形角であり、
前記スリットは、前記円形角に位置していることを、
特徴とする請求項４に記載のフレキシブル製品用包装展示箱。
【請求項６】
前記固定ケースが前記保持ケースよりも小さいことを、特徴とする請求項２に記載のフレキシブル製品用包装展示箱。
【請求項７】
前記保持ケースは紙製ケースであることを、請求項１に記載のフレキシブル製品用包装展示箱。
【請求項８】
前記保持ケースにおける２つの隣接する側板の間には、隙間が設けられていることを、特徴とする請求項１に記載のフレキシブル製品用包装展示箱。
【考案の詳細な説明】
【技術分野】
【０００１】
本考案は透明な包装箱、特にフレキシブル製品を包装する展示用包装箱に関する。
【背景技術】
【０００２】
市販されているフレキシブル材、例えば布製の自転車サドルのカバー、シャワーキャップ、アームカバー、手袋、頭巾、ハンカチ等の製品は、図１のように、所定サイズの形状に折り畳んだ後に、透明なプラスチック袋１の中に入れられるのがほとんどである。プラスチック袋１の一端はボール紙２に装丁されており、もう一端は開口端３である。ボール紙２には、当該製品の使用説明文および当該製品の略図が印字されており、また、売り場のポールに掛けるための掛け孔４が設けられている。開口端３には、封を閉じるための粘着シート５が設けられている。粘着シート５は、開口端３に対して折り曲げることで開口端３を閉じ、プラスチック袋１の外側に貼り付くことが可能である。このため、購買者は、透明のプラスチック袋１の外側から目当ての製品、例えば自転車サドルカバー６の花絵柄などを視認できるとともに、ボール紙２に印字された絵柄から、カバー６が実際に自転車のサドル部分に使用されたときの意匠をイメージできる。
【０００３】
しかし、自転車サドルのカバー６は、布製のフレキシブル製品であるために、透明なプラスチック袋１の中に入れられては、平らに敷かれた状態でカバー６表面の特徴的絵柄を表すことができない。特に、フレキシブルな布で出来たカバー６は、プラスチック袋１に入れられて運搬されているうちに、位置がずれたり、丸まってしまったりする。そのため、消費者がカバー６の特別な絵柄を視認できず、充分な展示効果が得られない。
【０００４】
図２は、透明プラスチック材で出来た従来の包装展示箱を示す。該展示箱内には、硬質な製品、例えば鉄釘、画鋲、ねじ、もしくは市場で一般に見られる化粧品、例えばリップクリーム、日焼け止めクリーム等の製品を入れられる。しかし、布製のシャワーキャップや自転車サドルのカバーを展示箱に入れる場合は、その表面の絵柄を平らに敷くことができず、製品の位置も固定できないため、実用に適しない問題がある。
【考案の概要】
【考案が解決しようとする課題】
【０００５】
本考案の主な目的は、フレキシブル製品を包装する従来の包装袋または包装箱では、製品の位置を固定できず、製品表面の絵柄を平らに敷くことができない、という問題を解決することにある。
【課題を解決するための手段】
【０００６】
上述の目的を達成するために、本考案は、展示板に接合されるフレキシブル製品用包装展示箱であって、内部が収納空間である凸状筐体を有する透明な展示ケースと、前記収納空間の形状と一致する保持面を有すると共に、前記収納空間内に位置する保持ケースと、を備え、前記収納空間は、前記展示板の方向に対し、外部に通じた第１の開口部を有し、前記筐体には、前記展示板と接合するための縁部が設けられており、前記保持面の外周には、前記展示板の方向へ折り曲げられた複数の側板が設けられている、フレキシブル製品用包装展示箱である。
【０００７】
さらに、前記収納空間には、該収納空間の形状と一致する固定ケースが設けられており、前記固定ケースは、前記筐体の方向に向かって延伸した周壁を有し、前記周壁は、前記保持ケースと嵌め合うための第２の開口部を有する。
【０００８】
さらに、前記固定ケースが前記保持ケースよりも大きく、前記保持ケースが前記固定ケースに覆われている。
【０００９】
さらに、前記固定ケースの周壁にスリットが設けられている。
【００１０】
さらに、前記筐体は、方形であり、前記固定ケースにおける２つの隣接する周壁がなす角は、円形角であり、前記スリットは、前記円形角に位置している。
【００１１】
さらに、前記保持ケースは紙製ケースである。
【００１２】
さらに、前記保持ケースにおける２つの隣接する側板の間には、隙間が設けられている。
【考案の効果】
【００１３】
上記構成によれば、フレキシブル製品、例えば自転車サドルのカバーを包装する場合は、カバー表面の絵柄を、前記保持ケースの前記保持面上に平らに敷くことができる。また、前記側板がカバーに包まれるときに、該カバーは、前記隙間を介して、２つの隣接する側板に挟まれながら平らな状態で前記側板上に敷くことができると共に、保持ケース内へ折り曲げることができる。また、前記展示ケースの縁部を熱溶融機の圧接によって前記展示板に接合することで、前記固定ケースは、圧力を受けた前記カバーを格納するようになる。これにより、カバーは、運搬されることや持たれることで位置がずれたり、丸まることがなく、表面の特徴的絵柄を表すことが可能である。従って、従来の包装箱では製品の位置を固定できず、製品表面の絵柄を平らに敷くことができない、という問題を解決できる。
【図面の簡単な説明】
【００１４】
【図１】フレキシブル製品を包装する従来の透明プラスチック袋を示す図である。
【図２】従来の透明プラスチック袋を示す図である。
【図３】本考案の実施例１に係る組立体を示す立体図である。
【図４】本考案の実施例１に係る各部材を示す分解立体図である。
【図５】本考案の実施例１に係る組立体を示す断面図である。
【図６Ａ】自転車サドルのカバーの表面を示す図である。
【図６Ｂ】自転車サドルのカバーの裏面を示す図である。
【図７Ａ】本考案の実施例１に係る実装の様子を部分的に示す図である。
【図７Ｂ】本考案の実施例１に係る実装の様子を部分的に示す図である。
【図８】本考案の実施例２を示す断面図である。
【図９】本考案の実施例３を示す断面図である。
【図１０】本考案の実施例４を示す立体図である。
【考案を実施するための形態】
【００１５】
本考案の詳細な内容と技術的な構成について、実施例から詳しく説明する。ただし、実施例は、あくまでも本考案を説明するための一例にしかすぎない。本考案は、実施例に限定されて解釈されるべきものではない。
【００１６】
図３、図４、図５および図６Ａ、６Ｂを参照して説明する。図３は、本考案の実施例１に係る組立体を示す立体図である。図４は、本考案の実施例１に係る各部材を示す分解立体図である。図５は、本考案の実施例１に係る組立体を示す断面図である。図６Ａは、自転車サドルのカバーの表面を示す図である。図６Ｂは、自転車サドルのカバーの裏面を示す図である。
【００１７】
本考案は、吊り孔１１が設けられた展示板１０に接合固定されるフレキシブル製品用包装展示箱であって、透明な展示ケース２０と、保持ケース３０と、固定ケース４０とを含む。
【００１８】
前記展示ケース２０は、透明プラスチック材で作製され、方形凸状の筐体２１が設けられている。本実施例において、前記筐体２１の内部は、方形の収納空間２２を有する。また、前記筐体２１の角は、円形角２３である。前記収納空間２２は、前記展示板１０の方向に対し、外部に通じた第１の開口部２４を有する。前記筐体２１は、前記展示板１０と接合されるための縁部２５を有する。実装の際、前記縁部２５は、熱溶融機（図示しない）の圧接によって前記展示板１０と結合される。
【００１９】
前記保持ケース３０は紙製ケースであり、前記収納空間２２に位置している。前記保持ケース３０は、前記収納空間２２の形状と一致する保持面３１を有し、該保持面３１の外周には、前記展示板１０の方向へ折り曲げられた複数の側板３２が設けられている。本実施例において、前記保持ケース３０における２つの隣接する側板の間に、隙間３３が設けられている。
【００２０】
前記固定ケース４０は、保持ケース３０と嵌め合うためのものである。本実施例において、前記固定ケース４０の形状は、前記収納ケース２２の形状と一致しており、且つ前記保持ケース３０よりも大きい。前記保持ケース３０は前記固定ケース４０内に覆われている。前記固定ケース４０は、透明プラスチック材で作製され、前記筐体２１の方向に向かって延伸した周壁４１を有する。前記周壁４１は、前記保持ケース３０と嵌め合うための第２の開口部４２を有する。前記周壁４１には、スリット４４が設けられている。前記周壁４１がなす角は、円角（丸みを帯びた角）４３である。前記スリット４４は、前記円角４３に位置している。
【００２１】
包装を行うときは、図６Ａおよび図６Ｂが示すように、前記保持ケース３０は、フレキシブル素材、例えば弾性布材で作製された自転車サドルのカバー５０を張らせて保持する。カバー５０の表面に特徴的なカラー絵柄が印字されているため、ほとんどの販売者は、その絵柄を消費者に展示することを希望しており、その特徴的絵柄を平らな状態で前記保持ケース３０の保持面３１上に敷く。カバー５０は、前記側板３２を覆うための第一領域ａを有する。カバー５０は、前記隙間３３を介して、図７Ａ、図７Ｂのように２つの隣接する前記側板３２に挟まれながら、前記保持ケース３０内へ折り曲げることが可能である。これにより、前記カバー５０を前記側板３２の表面に沿って敷くことができる。前記カバー５０は、前記第一領域ａ以外の第二領域ｂを有する。該第二領域ｂを、丸まった状態に折り曲げてカバー３０の内部に収納することができる。前記固定ケース４０を前記展示ケース２０の後側の第１の開口部２４から前記収納空間２２に嵌めこむことにより、カバー５０における丸まった第二領域ｂは、前記固定ケース４０からの圧力を受けることになる。そして、前記展示ケース２０の縁部２５を熱溶融機の圧接によって前記展示板１０に固定接合したことにより、前記固定ケース４０は、前記展示板１０からの圧力を受けてカバー５０を固定できる。
【００２２】
実装の際は、前記固定ケース４０がスリット４４を有しているので、前記固定ケース４０の周壁４１は収縮しやすく、容易に前記収納空間２２に入る。
【００２３】
また、本実施例において、前記保持ケース３０は紙製ケースである。これにより、前記カバー５０が前記保持ケース３０を覆っているときに、前記側板３２の角がカバー５０を破ってしまうことを防止できる。
【００２４】
上記構成により、前記カバー５０を保持ケース３０の保持面３１上に平らに敷くことが可能となり、前記カバー５０で前記側板３２を覆うこともできる。さらに、前記保持ケース３０の外側が前記固定ケース４０に覆われ、前記固定ケース４０が前記展示板１０に押されることにより、前記カバー５０は、運搬されることや持たれることで位置がずれたり、丸まることはない。また、前記カバー５０の表面の特徴的絵柄５１は、平らな状態で前記保持面３１上に敷かれて保持される。これにより、購買者は、透明な前記展示ケース２０から絵柄５１を容易に視認できる。従って、従来の包装箱では製品の位置を固定できず、製品表面の絵柄を平らに敷くことができない、という問題を解決できる。
【００２５】
また、前記展示板２０の表面に、前記カバー５０の使用説明文およびカラー絵柄６０を印字することができる。従って、前記カバー５０が自転車サドルに装着された様子を表示できる。また、前記カラー絵柄６０が呈した花柄が、実際のカバー５０と同一であるため、前記展示板１０の吊り孔１１で売場のポールに吊るすことにより、消費者は、展示ケース２０の外側から前記カバー５０表面の絵柄や色彩をはっきりと視認できる。
【００２６】
なお、固定ケース４０ａは、図８のように、前記保持ケース３０より小さくてもよい。前記固定ケース４０ａは、前記筐体２１へ向かう周壁４１ａを有する。保持ケース３０内に収められた前記カバー５０は、前記周壁４１ａに押さえられると同時に、前記展示ケース２０と展示板１０との圧着固定によって保持される。これにより、従来の包装箱では、製品位置を固定できず、製品表面の絵柄を平らに敷くことができない、という問題を同様に解決できる。
【００２７】
勿論、図９のような、透明な展示ケース２０ｂおよび保持ケース３０ｂを備える構成も本考案に含まれる。すなわち、前記固定ケース４０を備えていない点で異なる以外、実施例１と同様である。包装を行うときは、前記カバー５０表面の特徴的絵柄５１を保持ケース３０ｂの保持面３１ｂ上に平らに敷き、側板３２ｂの表面をカバー５０で覆うことが可能である。また、前記カバー５０の第二領域ｂを、保持ケース３０ｂの内部へ折り曲げることができる。また、展示ケース２０ｂの縁部２５ｂを熱溶融機の圧接によって前記展示板１０に固定することにより、前記カバー５０および前記保持ケース３０ｂは、前記展示板１０からの圧力を受けて固定される。そのため、カバー５０は、運搬されることや持たれることで位置がずれたり、丸まることはない。従って、従来の包装箱では製品の位置を固定できず、製品表面の絵柄を平らに敷くことができない、という問題を解決できる。
【００２８】
図１０は、保持ケース３０ｃ上の２つの隣接する側板３２ｃの間に前記隙間３３がなく、且つ、固定ケース４０ｃの角（丸みを帯びた角）４３ｃが前記スリット４４を有していない場合の、本考案の構成を示している。
【００２９】
上述した内容は、あくまでも本考案の好ましい実施例にしか過ぎない。本考案の実施範囲は、これを以て限定されるものではない。すなわち、本考案の請求の範囲および明細書の内容に基づいた、同一効果を有する簡単な変形例も、本考案の技術的範囲に含まれる。
【符号の説明】
【００３０】
１  プラスチック袋
２  ボール紙
３  開口部
４  掛け孔
５  粘着シート
６  カバー
１０  展示板
１２  吊り孔
２０、２０ｂ 展示ケース
２１  筐体
２２  収納空間
２３  円形角
２４  第１の開口部
２５、２５ｂ 縁部
３０、３０ｂ、３０ｃ  保持ケース
３１、３１ｂ 保持面
３３  隙間
４０、４０ａ、４０ｃ  固定ケース
４１、４１ａ 周壁
４２  第２の開口部
４３、４３ｃ  円角（丸みを帯びた角）
４４  スリット
５０  カバー
５１  特徴的絵柄
６０  カラー絵柄
ａ  第一領域
ｂ  第二領域
【図１】
0003181980.tif 000003
【図２】
0003181980.tif 000004
【図３】
0003181980.tif 000005
【図４】
0003181980.tif 000006
【図５】
0003181980.tif 000007
【図６Ａ】
0003181980.tif 000008
【図６Ｂ】
0003181980.tif 000009
【図７Ａ】
0003181980.tif 000010
【図７Ｂ】
0003181980.tif 000011
【図８】
0003181980.tif 000012
【図９】
0003181980.tif 000013
【図１０】
0003181980.tif 000014